(57)【要約】【課題】ＤＬＮＡ対応機器間でのデータ再生において、データ検索機能は再生装置に依存し、ユーザに望ましい検索機能を提供できないことがあった。そこで、データ記録装置が検索手段を提供し、ユーザが選択したデータをＤＬＮＡ規格に基づいて再生可能とする、データ記録装置、及びそのデータ再生方法を提供する。【解決手段】記録媒体と、記録データを管理するコンテンツ管理部と、ネットワーク通信を制御する通信制御部とを有するデータ記録装置であって、記録データに関する情報をデータ再生装置で表示させるためのＷＥＢサーバ部と、ＤＬＮＡ規格に基づいてデータ再生を制御するＤＬＮＡ制御部とを有し、ＷＥＢサーバ部から送信された情報をもとに、ＤＬＮＡ規格に基づいて記録データを外部装置に送信するよう制御するＷＥＢ・ＤＬＮＡ制御部を備える。【選択図】図１
2011120007.tif 000002
【特許請求の範囲】
【請求項１】
ネットワークを介して外部装置とデータの送受信を行うデータ記録装置であって、
該データ記録装置の記録データを格納する記録媒体と、
該記録媒体に記録された記録データを管理し該記録データに関するコンテンツ情報を生成するコンテンツ管理部と、
前記ネットワークに対して前記コンテンツ情報や前記記録媒体に記録された記録データを送受信する通信制御部と、
前記外部装置と前記記録データを共有するための送受信規格に基づき、前記通信制御部と前記ネットワークを介して前記外部装置とデータ送受信を行う送受信規格制御部と、
前記ネットワークと前記通信制御部を介して前記外部装置から受信したデータを供給され該データを前記送受信規格制御部で用いる形式に変換して前記送受信規格制御部に供給し、また前記コンテンツ管理部から前記コンテンツ情報を供給され該コンテンツ情報を変換して送信用のファイルを生成するＷＥＢ・送受信規格変換部と、
該ＷＥＢ・送受信規格変換部が生成した前記送信用のファイルを前記通信制御部と前記ネットワークを介して前記外部装置に送信し、該外部装置から受信したデータを前記ＷＥＢ・送受信規格変換部に供給するＷＥＢサーバ部
を有することを特徴とするデータ記録装置。
【請求項２】
請求項１に記載のデータ記録装置であって、
前記送受信規格制御部は、前記ＷＥＢ・送受信規格変換部から供給された前記外部装置から受信したデータに応じて前記記録データを選択し、選択された該記録データを前記送受信規格に基づき前記ＷＥＢサーバ部、前記通信制御部と前記ネットワークを介して前記外部装置に送信することを特徴とするデータ記録装置。
【請求項３】
請求項１または２に記載のデータ記録装置であって、
前記送受信規格は、ＤＬＮＡ／ＵＰｎＰ規格であることを特徴とするデータ記録装置。
【請求項４】
請求項３に記載のデータ記録装置であって、
前記送受信規格制御部は、ＤＬＮＡ／ＵＰｎＰ規格におけるＤＭＳ制御を行うＤＭＳ制御部、及びＤＭＣ制御を行うＤＭＣ制御部を有し、
前記ＤＭＣ制御部は、前記外部装置から受信され前記ＷＥＢ・送受信規格変換部で変換された前記データに基づき前記記録データを前記外部装置に送信するよう前記ＷＥＢサーバ部を制御することを特徴とするデータ記録装置。
【請求項５】
請求項１に記載のデータ記録装置であって、前記ＷＥＢ・送受信規格変換部で生成される送信用のファイルは、ＨＴＭＬファイルであることを特徴とするデータ記録装置。
【請求項６】
ネットワークに接続されたデータ記録装置に記録されている記録データを、前記ネットワークに接続されたデータ再生装置で再生するためのデータ記録装置からのデータ再生方法であって、
前記データ記録装置に記録された記録データを管理するための該記録データに関するコンテンツ情報を送信する要求を前記データ再生装置から受信する要求受信ステップと、
該要求受信ステップが前記記録データに関するコンテンツ情報を送信する要求を受信した際に前記コンテンツ情報を変換して送信用のコンテンツ情報ファイルを生成して前記データ再生装置へ送信するコンテンツ情報ファイル変換送信ステップと、
該コンテンツ情報ファイル変換送信ステップで送信されたコンテンツ情報ファイルに応じて前記データ再生装置で選択された記録データを前記データ再生装置に送信するコンテンツ再生送信ステップを有し、
該コンテンツ再生送信ステップは、前記選択された記録データを再生して所定のデータ送受信規格に基づき前記データ再生装置に送信することを特徴とするデータ記録装置からのデータ再生方法。
【請求項７】
請求項６に記載のデータ記録装置からのデータ再生方法であって、
前記再生情報変換ステップにおける所定のデータ送受信規格は、ＤＬＮＡ／ＵＰｎＰ規格であって、
前記選択された記録データは、前記ＤＬＮＡ／ＵＰｎＰ規格におけるＤＭＣないしＤＭＳに基づき前記データ記録装置から再生されることを特徴とするデータ記録装置からのデータ再生方法。
【請求項８】
請求項６に記載のデータ記録装置からのデータ再生方法であって、前記コンテンツ情報ファイル変換送信ステップで生成される送信用のコンテンツ情報ファイルは、ＨＴＭＬファイルであることを特徴とするデータ記録装置からのデータ再生方法。
【発明の詳細な説明】
【技術分野】
【０００１】
本発明はデータ記録装置、及びデータ記録装置からのデータ再生方法に係り、特にネットワークに接続して使用する際のユーザインタフェースの良好なデータ記録装置、及びデータ記録装置からのデータ再生方法に関するものである。
【背景技術】
【０００２】
従来、ネットワークに接続して使用するデータ記録装置として、ＮＡＳ（Ｎｅｔｗｏｒｋ  Ａｔｔａｃｈｅｄ  Ｓｔｏｒａｇｅ）と呼ばれる記録装置が多数製品化されている。本ＮＡＳでは、自身の設定をインタネットブラウザから可能とするため、ＷＥＢサーバ機能が搭載されているものもある。また、写真や音楽、動画などのコンテンツを宅内ネットワークで相互利用する規格としてＤＬＮＡ（Ｄｉｇｉｔａｌ  Ｌｉｖｉｎｇ  Ｎｅｔｗｏｒｋ  Ａｌｌｉａｎｃｅ）があり、このＤＬＮＡ規格を採用したＮＡＳも製品化されており、ＤＬＮＡ規格に対応した機器間でのデータ再生が実現されている。さらに、ＤＬＮＡ非対応の機器とＤＬＮＡ対応機器間でのデータ再生を実現するための技術として、例えば、特開２００９−１１８１１２号公報に、ＤＬＮＡ非対応の機器からＤＬＮＡに対応したメディアサーバにアクセスする技術が開示されている。
【先行技術文献】
【特許文献】
【０００３】
【特許文献１】特開２００９−１１８１１２号公報
【発明の概要】
【発明が解決しようとする課題】
【０００４】
従来のＤＬＮＡ対応機器間でのデータ再生では、ユーザは、データ再生装置が提供する検索手段でデータ記録装置に記録されたデータを検索し、再生していた。そのため、検索手段はデータ再生装置に依存し、特にＡＶ（Ａｕｄｉｏ  Ｖｉｓｕａｌ）機器では、ＰＣ（Ｐｅｒｓｏｎａｌ  Ｃｏｍｐｕｔｅｒ）に比べ処理性能が劣るため、検索手段が限定的であり、大量のデータを検索する性能が劣っていたり、使用可能な検索機能が限定的であったりして、使い勝手の悪い面があった。また、逆に、データ記録装置が検索手段を提供しても、ユーザが上記検索結果から選択したデータをＤＬＮＡ規格に基づいてネットワークを介してデータを再生する方法が確立されていないために、使い勝手の良いデータ再生は困難であった。
【０００５】
そこで本発明は、例えばＤＬＮＡ対応機器間でのデータ再生において、データ記録装置が検索機能を提供し、ユーザが選択したデータをＤＬＮＡ規格に基づいて再生可能とすることにより、ユーザインタフェースの良好なデータ記録装置、及びデータ記録装置からのデータ再生方法を提供することを目的とするものである。
【課題を解決するための手段】
【０００６】
前記課題を解決するために本発明は、ネットワークを介して外部装置とデータの送受信を行うデータ記録装置であって、該データ記録装置の記録データを格納する記録媒体と、該記録媒体に記録された記録データを管理し該記録データに関するコンテンツ情報を生成するコンテンツ管理部と、前記ネットワークに対して前記コンテンツ情報や前記記録媒体に記録された記録データを送受信する通信制御部と、前記外部装置と前記記録データを共有するための送受信規格に基づき、前記通信制御部と前記ネットワークを介して前記外部装置とデータ送受信を行う送受信規格制御部と、前記ネットワークと前記通信制御部を介して前記外部装置から受信したデータを供給され該データを前記送受信規格制御部で用いる形式に変換して前記送受信規格制御部に供給し、また前記コンテンツ管理部から前記コンテンツ情報を供給され該コンテンツ情報を変換して送信用のファイルを生成するＷＥＢ・送受信規格変換部と、該ＷＥＢ・送受信規格変換部が生成した前記送信用のファイルを前記通信制御部と前記ネットワークを介して前記外部装置に送信し、該外部装置から受信したデータを前記ＷＥＢ・送受信規格変換部に供給するＷＥＢサーバ部を有することを特徴としている。
【０００７】
また本発明は、ネットワークに接続されたデータ記録装置に記録されている記録データを、前記ネットワークに接続されたデータ再生装置で再生するためのデータ記録装置からのデータ再生方法であって、前記データ記録装置に記録された記録データを管理するための該記録データに関するコンテンツ情報を送信する要求を前記データ再生装置から受信する要求受信ステップと、該要求受信ステップが前記記録データに関するコンテンツ情報を送信する要求を受信した際に前記コンテンツ情報を変換して送信用のコンテンツ情報ファイルを生成して前記データ再生装置へ送信するコンテンツ情報ファイル変換送信ステップと、該コンテンツ情報ファイル変換送信ステップで送信されたコンテンツ情報ファイルに応じて前記データ再生装置で選択された記録データを前記データ再生装置に送信するコンテンツ再生送信ステップを有し、該コンテンツ再生送信ステップは、前記選択された記録データを再生して所定のデータ送受信規格に基づき前記データ再生装置に送信することを特徴としている。
【発明の効果】
【０００８】
本発明によれば、ユーザインタフェースの良好なデータ記録装置、及びデータ記録装置からのデータ再生方法を実現でき、ユーザに対する使い勝手の向上に寄与することができるという効果がある。
例えば以下に示すように一つの実施形態においては、データ記録装置が検索機能を提供し、ユーザが選択したデータをＤＬＮＡ規格に基づき再生可能とする、ユーザインタフェースの良好なデータ記録装置、及びデータ記録装置からのデータ再生方法を提供することができるという効果がある。
【図面の簡単な説明】
【０００９】
【図１】本発明の一実施例に係るデータ記録装置のブロック図である。
【図２】本発明の一実施例に係るデータ記録装置とデータ再生装置の処理を示すフローチャートである。
【図３】本発明の一実施例に係るデータ記録装置の処理を示すフローチャートである。
【図４】ＤＬＮＡ規格におけるデータ再生方法の一例を示す図である。
【図５】本発明の一実施例に係るデータ記録装置とデータ再生装置の処理を示す別なフローチャートである。
【図６】本発明の一実施例に係るデータ記録装置の処理を示す別なフローチャートである。
【図７】本発明の一実施例に係るデータ再生装置の表示部に表示される画面を例示する図である。
【図８】本発明の一実施例に係るデータ再生装置のブロック図である。
【発明を実施するための形態】
【００１０】
本発明の実施の形態について、図面を用いながら説明する。
図１は、本発明の一実施例に係るデータ記録装置１００のブロック図である。図１において、１００はデータ記録装置（以下、サーバと呼ぶこともある）である。１０１はシステム制御部であって、後述の各部の動作を制御する。１０２はメモリであって、各部が使用する情報を格納する。１０３はＨＤＤ制御部であって、前記データ記録装置１００の第一の記録媒体であるＨＤＤ（Ｈａｒｄ  Ｄｉｓｋ  Ｄｒｉｖｅ）１０４を制御する。１０５は光ディスク制御部であって、前記データ記録装置１００の第二の記録媒体である光ディスク１０６を制御する。
【００１１】
１０７は通信制御部であって、通信Ｉ／Ｆ（インタフェース）１０８を介して前記データ記録装置１００がネットワーク１０９に接続され、データ再生装置１９０をはじめとする外部装置とデータ送受信する際に通信を制御する。データ再生装置１９０（以下、外部装置、或いはクライアントと呼ぶこともある）は、ここでは１９０Ａ、１９０Ｂ、１９０Ｃの３台がネットワーク１０９を介して接続されている。これは一例であって、何台であっても良く、また１台だけであっても良い。以下、そのうちのいずれか１台を例にとる場合は、例えばデータ再生装置１９０と記すこととする。
【００１２】
１１０はコンテンツ管理部であって、前記ＨＤＤ１０４、前記光ディスク１０６に記録されているデータ、例えば動画／静止画／音声データなどに関するコンテンツ情報、例えばファイル名、記録日時、データ種別、データ形式、ファイルサイズなどを管理する。１２０はＤＬＮＡ制御部であって、ネットワーク１０９に接続された機器間でデジタルコンテンツの相互利用するための規格であるＤＬＮＡ／ＵＰｎＰ（Ｕｎｉｖｅｒｓａｌ  Ｐｌｕｇ  ａｎｄ  Ｐｌａｙ）に基づいた通信を制御する。ＤＬＮＡ制御部１２０は、ＤＬＮＡで定義されているＤＭＳ（Ｄｉｇｉｔａｌ  Ｍｅｄｉａ  Ｓｅｒｖｅｒ）としての制御を行うＤＭＳ制御部１２１や、ＤＭＣ（Ｄｉｇｉｔａｌ  Ｍｅｄｉａ  Ｃｏｎｔｒｏｌｌｅｒ）としての制御を行うＤＭＣ制御部１２２を有する。
【００１３】
１３０はＷＥＢサーバ部であって、後記するＷＥＢ・ＤＬＮＡ変換部とともに前記コンテンツ管理部１１０が管理するコンテンツ情報をＷＥＢブラウザで表示できる形式のファイル、例えばＨＴＭＬ（Ｈｙｐｅｒ  Ｔｅｘｔ  Ｍａｒｋｕｐ  Ｌａｎｇｕａｇｅ）ファイルを生成する。また、ネットワークに接続された外部装置１９０からの要求に応じて前記ＨＴＭＬファイルを、前記通信制御部１０７を介して送信し、前記外部装置１９０からの応答や指示を受信する。１４０はＷＥＢ・ＤＬＮＡ変換部であって、前記したようにＨＴＭＬファイルを生成するほか、前記ＷＥＢサーバ１３０が受信した情報を前記ＤＬＮＡ制御部１２０が処理できる形式に変換し、前記ＤＬＮＡ制御部１２０に送信すると共に動作指示を行う。なお、本実施の形態では、前記記録媒体を２つとしているが、記録媒体の種別、個数はこれに限定されるものではない。
【００１４】
次に、前記データ記録装置１００がネットワークに接続されたデータ再生装置１９０に前記コンテンツ情報を表示させる方法について説明する。
まず、前記データ再生装置１９０につき図８を用いて説明する。図８は、本発明の一実施例に係るデータ再生装置のブロック図である。データ再生装置１９０は、通信Ｉ／Ｆ１９８を介して先のネットワーク１０９に接続可能とする通信制御部１９１、ＷＥＢブラウザ部１９２、ＤＬＮＡにおけるＤＭＲ（Ｄｉｇｉｔａｌ  Ｍｅｄｉａ  Ｒｅｎｄｅｒｅｒ）機能やＤＭＰ（Ｄｉｇｉｔａｌ  Ｍｅｄｉａ  Ｐｌａｙｅｒ）機能を制御するＤＭＲ・ＤＭＰ制御部１９４を含むＤＬＮＡ制御部１９３、ネットワークから受信したコンテンツデータに施されたデータ圧縮を解除するためのデコーダ部１９５、表示部１９６、ユーザＩ／Ｆ部１９７を有する。
【００１５】
またデータ再生装置１９０は、ＷＥＢブラウザ部１９２の作用により前記データ記録装置１００から送信されるファイル、例えばＨＴＭＬファイルを表示部１９６に表示し、前記ファイルを介して、ユーザＩ／Ｆ部１９７からの例えばキーボードやリモコン操作によるユーザからの次の動作指示を、前記サーバ１００に送信することが可能である。さらにユーザがユーザＩ／Ｆ部１９７を用いて、表示部１９６に表示された前記ＨＴＭＬファイルに基づきコンテンツデータを選択し、再生指示をした場合には、これをネットワーク１０９に接続されたデータ記録装置１００に送信して、データ記録装置１００からデジタルコンテンツ、例えば動画や静止画、音声データなどを受信し、このデータをデコーダ部１９５で伸張して再生し、表示部１９６に表示することが可能である。なお、１９９Ａはメモリであって、前記各部が使用する情報を格納する。１９９Ｂはシステム制御部であって、前記各部の動作を制御する。
【００１６】
なお、データ再生装置のＤＭＲ・ＤＭＰ制御部１９４は、データ記録装置１００のＤＭＳ制御部１２１とデータの送受信を行う際は、ＤＬＮＡ規格に定義されるＤＭＰ制御を行う。またデータ再生装置のＤＭＲ・ＤＭＰ制御部１９４は、データ記録装置１００のＤＭＣ制御部がＤＭＳ制御部とデータ再生装置１９０の双方を制御する場合には、ＤＬＮＡ規格に定義されるＤＭＲ制御を行う。
【００１７】
図２は、本発明の一実施例に係るデータ記録装置１００とデータ再生装置１９０の処理を示すフローチャートである。図２において便宜上、前記データ記録装置１００をサーバ、前記外部装置１９０をクライアントと表記し、以下の説明でもこれらの言葉を用いている。以下、フローを括弧内に示すステップの順に説明する。
【００１８】
図２において、前記データ記録装置１００であるサーバは、前記データ再生装置１９０であるクライアントからの前記ＷＥＢブラウザ部１９２で表示可能なファイル、例えばＨＴＭＬファイルの送信指示を待っている（Ｓ２１０）。以降便宜的にＨＴＭＬファイルを送信する場合を例として説明する。ユーザはユーザＩ／Ｆ部１９７を用いて前記クライアント１９０を操作し、ＷＥＢブラウザ部１９２を起動するよう前記クライアント１９０を制御する（Ｓ２２０）。前記クライアント１９０は、ユーザからの指示を受信し、ＷＥＢブラウザ部１９２を起動し（Ｓ２２１）、前記サーバ１００に対して前記ＨＴＭＬファイルの送信を要求し（Ｓ２２２）、前記ＨＴＭＬファイル受信待ち状態となる（Ｓ２２３）。クライアント１９０からの送信指示を待っている前記サーバ１００は、前記ファイル送信要求を受信し（Ｓ２１１）、前記コンテンツ管理部１１０が管理するコンテンツ情報を含んだＨＴＭＬファイルを作成する（Ｓ２１２）。前記ＨＴＭＬファイルの作成方法は後述する。
【００１９】
前記ＨＴＭＬファイルの作成が完了した後、前記サーバ１００は前記ＨＴＭＬファイルを前記クライアント１９０に送信し（Ｓ２１３）、次の動作指示の受信待ちとなる（Ｓ２１４）。前記クライアント１９０は、前記ＨＴＭＬファイルを受信したら（Ｓ２２４）、前記ＨＴＭＬファイルを、前記ＷＥＢブラウザ部１９２を介して表示部１９６に表示する（Ｓ２２５）。
以上示した方法により、ユーザは前記データ記録装置１００に記録されているデータを前記データ再生装置１９０のＷＥＢブラウザ部１９２に表示することが可能となり、前記データ記録装置１００に記録されているデータを認識することができる。
【００２０】
次に、前記データ記録装置１００が前記データ再生装置１９０から受信したＨＴＭＬファイル送信要求に対して、前記コンテンツ管理部１１０が管理するコンテンツ情報を含むＨＴＭＬファイルを作成する方法について説明する。
図３は、本発明の一実施例に係るデータ記録装置１００の処理を示すフローチャートである。図３において、前記データ記録装置１００が前記データ再生装置１９０からのＨＴＭＬファイル送信要求を受信すると（Ｓ３００、図２のＳ２１１に相当）、前記ＷＥＢ・ＤＬＮＡ変換部１４０は、前記コンテンツ管理部１１０から前記コンテンツ情報を取得し（Ｓ３１０）、前記コンテンツ情報をＨＴＭＬファイルに記載できる形式に変換し（Ｓ３２０）、前記ＨＴＭＬファイルを作成する（Ｓ３３０）。前記ＷＥＢ・ＤＬＮＡ変換部１４０は前記ＨＴＭＬファイルを作成した後、前記ＷＥＢサーバ部１３０に前記ＨＴＭＬファイルを送信し、前記ＷＥＢサーバ部１３０は受信したＨＴＭＬファイルを、前記データ再生装置１９０に通信制御部１０７を介して送信する（Ｓ３４０）。
【００２１】
ここで、前記ＨＴＭＬファイルに記載される前記コンテンツ情報は、前記データ記録装置１００が記録する記録データに関する情報であり、ユーザが視認することができる情報として、前記記録データのファイル名、ファイルサイズ、記録日時、例えば記録データが動画、静止画、音声などに属するかを示すデータ種別、例えば記録データが動画や静止画などの画像データであればその代表画像の縮小画像、などの情報があり、ユーザが視認しない情報として、前記記録データが前記記録媒体のどこに格納されているかを示す格納フォルダに関する情報や、前記代表画像が格納されているフォルダに関する情報などが含まれる。
【００２２】
以上示した方法により、前記データ再生装置１９０で表示されるＨＴＭＬファイルが作成され、ユーザは前記ＨＴＭＬファイルを視聴することにより、前記データ記録装置１００に格納されているデータに関する情報を視聴することが可能となる。本実施例では、データ再生装置１９０の要求に応じて記録装置１００が前記コンテンツ情報に係るＨＴＭＬファイルを作成し、データ再生装置１９０に送信することを一つの特徴としている。これにより、コンテンツ検索のための機能が従来のようにデータ再生装置１９０に依存していた場合に比べて、ユーザインタフェースを良好にできる効果がある。従来は、例えばデータ再生装置１９０はデータ記録装置１００が格納するコンテンツに関する情報を文字情報だけで表示していたり、動画／静止画／音声などのデータ種別のみで分類表示していたり、使い勝手が充分に考慮されない検索方法となっていた。本実施例ではデータ記録装置１００が提供するＨＴＭＬファイルに基づき、データ再生装置１９０は前記縮小画像付きでコンテンツ情報を表示したり、より詳細にコンテンツ情報を分類して表示したり、前記データ記録装置１００が提供したいユーザインタフェースにて前記コンテンツ情報を表示することが可能である。またこの表示から、再生したいコンテンツを選択してデータ記録装置１００へ伝えることも容易になるなど、使い勝手の良いコンテンツ検索ができる。
【００２３】
次に、前記ＨＴＭＬファイルで表示された情報に基づき、ユーザが視聴する記録データ（コンテンツ）を選択し、前記データ再生装置１９０で再生させる方法について説明する。
図４は、ＤＬＮＡ規格におけるデータ再生方法の一例を示す図である。ＤＬＮＡにおいては、ネットワークに接続された機器を、ＤＭＳ、ＤＭＣ、ＤＭＲ、ＤＭＰという概念で定義している。前記したようにＤＭＣが中心となり制御する場合には、ＤＭＣ、ＤＭＳ、ＤＭＲにより処理が行なわれる。図４において、前記ＤＭＳ、前記ＤＭＣ、前記ＤＭＲによるデータ再生時の処理フローを示す。
【００２４】
前記ＤＭＣは、前記ＤＭＳが記録する記録データに関するコンテンツ情報を取得し、それをＤＭＲに送信し、表示装置１９６に表示し、ユーザに再生するデータを選択させる。（Ｓ４１０）。ユーザによる前記記録データ選択後、前記ＤＭＣは前記選択された記録データに関する情報と、前記選択された記録データが再生可能であれば前記ＤＭＳに接続する旨の指示を、前記ＤＭＲに送信する（Ｓ４２０）。前記ＤＭＲは、取得した前記記録データに関する情報をもとに、前記選択された記録データを再生可能か否かを判断し、再生可能な場合は前記ＤＭＳに前記記録データを送信するよう要求する（Ｓ４３０）。前記ＤＭＳは、受信した前記ＤＭＲからの要求に従い、前記選択された記録データを前記ＤＭＲに送信する（Ｓ４４０）。前記ＤＭＲは、受信した前記記録データを再生し、自身の表示装置１９６に表示する。以上示した方法により、ユーザが選択した記録データを再生できるよう仕組みが整備されている。
【００２５】
次に、前記した方法により前記データ記録装置１００が記録する記録データに関する情報を表示した後、ユーザが視聴したい前記記録データを選択し、選択された前記記録データを再生させる方法について説明する。図５は、本発明の一実施例に係るデータ記録装置１００とデータ再生装置１９０の処理を示す別なフローチャートである。図５においても、前記データ記録装置１００をサーバ、前記データ再生装置１９０をクライアントと表記し、以下便宜上サーバ、クライアントの言葉を用いて説明する。
【００２６】
図５において、前記サーバ１００は先の図３のステップＳ３４０において、前記した方法で前記ＨＴＭＬファイルを前記クライアント１９０に送信した後、前記クライアント１９０からの動作指示の受信待ちとなっている（Ｓ５１１）。前記クライアント１９０はユーザによる記録データが選択されると（Ｓ５２１）、前記サーバ１００に前記選択された記録データを再生するデータとして前記サーバ１００に通知する（Ｓ５２２）。前記サーバ１００は前記再生データに関する情報を受信すると、前記ＷＥＢ・ＤＬＮＡ変換部１４０が前記再生データに関する情報を前記ＤＬＮＡ制御部１２０で解釈できる形式に変換し、前記ＤＬＮＡ制御部１２０に再生開始指示を送信し（Ｓ５１２）、前記クライアント１９０に前記ＷＥＢブラウザ１９２を終了するよう指示を送る（Ｓ５１３）。
【００２７】
前記ＤＬＮＡ制御部１２０における前記ＤＭＣ制御部１２２は、前記ＷＥＢ・ＤＬＮＡ変換部１４０から受信した前記再生データに関する情報と前記再生開始指示により、前記クライアント１９０へ前記再生データに関する情報をＤＬＮＡに対応する情報として送信しつつ、再生開始指示を送信し（Ｓ５１４）、前記クライアント１９０からの前記再生データの送信指示待ちとなる（Ｓ５１５）。前記クライアント１９０は、前記サーバ１００から送信されるＷＥＢブラウザ終了指示に従い、ＷＥＢブラウザ１９２を終了する（Ｓ５２３）。さらに、Ｓ５１４による前記サーバ１００からのＤＬＮＡ再生開始指示を受信すると（Ｓ５２４）、受信した前記再生データに関する情報を解釈し、前記再生データの送信要求を前記サーバ１００に送信する（Ｓ５２５）。
【００２８】
前記サーバ１００は、前記クライアント１９０からの再生データ送信要求を受信すると（Ｓ５１６）、前記ＤＬＮＡ制御部１２０における前記ＤＭＳ制御部１２１を制御し、前記再生データを前記クライアント１９０に送信する（Ｓ５１７）。前記再生データの受信待ち（Ｓ５２６）であった前記クライアント１９０は、前記サーバ１００から送信される前記再生データを受信すると、自身の表示装置１９６に前記再生データを表示する（Ｓ５２７）。
【００２９】
以上示した方法により、ユーザが選択した記録データをデータ再生装置１９０で表示することが可能となる。なお、本発明の形態では、前記データ記録装置１００が前記ＤＭＳと前記ＤＭＣの役割を担い、前記データ再生装置１９０が前記ＤＭＲの役割を担うことで、前記記録データの再生を実現する。図５において、破線部で囲まれたステップ（Ｓ５１４〜Ｓ５１７、Ｓ５２４〜Ｓ５２７）は、図４に示したＤＬＮＡにおけるデータ再生方法に相当する。
以上示した方法により、データ記録装置１００が記録している記録データを、データ再生装置１９０のＷＥＢブラウザ部１９２を介して選択し、ＤＬＮＡに基づき再生することが可能となる。
【００３０】
図６は、本発明の一実施例に係るデータ記録装置１００の処理を示す別なフローチャートであり、図５におけるＳ５１１〜Ｓ５１５を詳細に示したものである。図６において、前記データ記録装置１００は前記した方法で前記ＨＴＭＬファイルを前記データ再生装置１９０に送信した後、前記データ再生装置１９０からの動作指示の受信待ちとなっている（Ｓ６００）。前記データ記録装置１００における前記ＷＥＢサーバ部１３０は、前記通信制御部１０７を介して前記データ再生装置１９０からの動作指示を受信すると（Ｓ６０１）、受信した情報を前記ＷＥＢ・ＤＬＮＡ変換部１４０に送信する。
【００３１】
前記ＷＥＢ・ＤＬＮＡ変換部１４０は、前記指示が再生開始要求か否かを判断し（Ｓ６０２）、前記指示が再生開始要求の場合（図中のＹＥＳ）、前記ＷＥＢ・ＤＬＮＡ変換部１４０は前記データ再生装置１９０のＷＥＢブラウザ１９２を終了するよう前記ＷＥＢサーバ部１３０を制御し、前記データ再生装置１９０の前記ＷＥＢブラウザ１９２を終了させる（Ｓ６０３）。
【００３２】
さらに、前記ＷＥＢ・ＤＬＮＡ変換部１４０は、再生開始指示があった記録データに関する情報を前記ＤＬＮＡ制御部１２０が解釈できる形式に変換し（Ｓ６０４）、前記ＤＬＮＡ制御部１２０に送信し、前記記録データをＤＬＮＡに基づいた形式で再生するよう前記ＤＬＮＡ制御部１２０における前記ＤＭＣ制御部１２２を制御する（Ｓ６０５）。前記ＤＬＮＡ制御部１２０、前記ＤＭＣ制御部１２２は、選択された前記記録データを再生開始するよう前記データ再生装置１９０に、通信制御部１０７とネットワーク１０９を介して指示を送り、前記データ再生装置１９０からデータ送信要求が送信されるのを待つ（Ｓ６０６）。
【００３３】
一方、Ｓ６０１で受信した動作指示が再生開始要求で無かった場合（図中のＮＯ）、前記ＷＥＢ・ＤＬＮＡ制御部１４０は受信した動作指示で指定された動作を行い（Ｓ６１０）、動作結果を含むＨＴＭＬファイルを作成し、前記データ再生装置１９０に送信し（Ｓ６１１）、次の動作指示を待つ（Ｓ６１２）。
以上示した方法により、前記データ再生装置から送信される指示を判断し、前記指示が再生開始要求であった場合、ＤＬＮＡに基づいた形式で再生開始することが可能となる。
【００３４】
次に前記データ記録装置１００が作成するＨＴＭＬファイルを前記データ再生装置１９０の表示部１９６に表示した場合の画面の一例を示す。
図７は、本発明の一実施例に係るデータ再生装置１９０の表示部１９６に表示される画面を例示する図である。図７において、７００は前記表示装置の表示枠、７０１は前記データ再生装置１９０から前記データ記録装置１００にアクセスするためのアドレスである。７０２は前記記録データが画像データであった場合に表示する縮小画像の表示領域であり、データ種別を示すアイコンを表示する領域としても使用してよい。７０３は前記記録データの情報、例えば記録日時やファイル名などである。本実施例では、前記記録データとして４つのデータが表示されている。
【００３５】
７０４はユーザが再生させたいデータを選択するためのカーソルである。７０５Ａから７０５Ｃは、前記記録データの再生以外に動作可能な機能を画面上のボタンとして表示しており、本実施例では、記録データに対する、検索、並べ替え、分類の機能を実現可能な機能としてボタン表示している。ユーザは、前記カーソルを移動させることで再生させたいデータを変更することが可能であり、前記再生させたいデータを決定後、前記データ再生装置は決定したデータに関する情報を前記データ記録装置１００に送信し、前述した方法により前記記録データが再生される。
ＤＬＮＡでは、一般に再生するデータを検索する手段はデータ再生装置１９０に搭載され、この手段により選択されたデータが再生されると定義しており、他の手段で選択されたデータの再生には言及されていない。
【００３６】
また、ＰＣの分野ではＰＣに搭載されたＷＥＢブラウザが再生機能を搭載していたり、ＷＥＢブラウザから再生機能を持つアプリケーションを呼び出すことにより、ＷＥＢブラウザ上でデータの再生が可能である。しかし、ＡＶの分野ではＷＥＢブラウザに再生機能は搭載されていないことがあり、データ再生装置１９０が持つ再生機能に再生データを転送する仕組みも無いことが多い。これに対して本実施例では、データ再生装置１９０はＤＬＮＡ制御部１９３を有しており、データ再生装置１９０のＷＥＢブラウザ部１９２で選択された記録データを、データ記録装置１００との間でＤＬＮＡ規格に基づいた送受信を行い再生することに一つの特徴がある。
【００３７】
以上示した通り、本発明によるデータ記録装置、及びデータ記録装置からのデータ再生方法では、データ記録装置１００に記録されている記録データに関するコンテンツ情報をデータ再生装置１９０のＷＥＢブラウザ部１９２を介して前記データ再生装置１９０の表示装置１９６に表示し、前記記録データの検索、選択は前記データ再生装置１９０の前記ＷＥＢブラウザ部１９２で行い、ここでユーザが選択した前記記録データに関する情報をＤＬＮＡで定義されているデータ再生部１９３に送信し、データ再生はＤＬＮＡに基づいて行う。これにより、データ記録装置１００が用意する検索機能をＷＥＢブラウザ部１９２が搭載されたデータ再生装置１９０に提供でき、再生データ選択後はＤＬＮＡ規格に基づいた方式でデータ再生が可能となる。さらに、ＷＥＢブラウザ部１９２を搭載したデータ再生装置１９０に共通して検索機能を提供できるため、データ再生装置１９０に依存せず使い勝手の良い検索機能を提供でき、ＤＬＮＡに対応した再生方法に基づくため、記録データを特別な変換手段が無くても再生することが可能となる。これにより、使い勝手の良い良好なユーザインタフェースを有するデータ記録装置、及びデータ記録装置からのデータ再生方法を提供できるという効果がある。
【００３８】
以上、本発明の実施形態を説明したが、これは一例であって、回路ブロック図やフローチャートにおいては、他にも変更を加えた例を考えることができる。いずれの場合も本発明の範疇にある。
【符号の説明】
【００３９】
１００：データ記録装置、１０１：システム制御部、１０２：メモリ、１０３：ＨＤＤ制御部、１０４：ＨＤＤ、１０５：光ディスク制御部、１０６：光ディスク、１０７：通信制御部、１１０：コンテンツ管理部、１２０，１９３：ＤＬＮＡ制御部、１２１：ＤＭＳ制御部、１２２：ＤＭＣ制御部、１９４：ＤＭＲ制御部、１３０，１９２：ＷＥＢサーバ部、１４０，１９５：ＷＥＢ・ＤＬＮＡ変換部、１９６：表示部、１９７：ユーザＩ／Ｆ。
【図１】
2011120007.tif 000003
【図２】
2011120007.tif 000004
【図３】
2011120007.tif 000005
【図４】
2011120007.tif 000006
【図５】
2011120007.tif 000007
【図６】
2011120007.tif 000008
【図７】
2011120007.tif 000009
【図８】
2011120007.tif 000010